(57)【要約】【課題】  塵埃などのゴミの飛散を防止することができる、扱い易い集塵マットを提供する。【解決手段】  上面に複数の凹部が形成される集塵部材と、前記集塵部材の上面に取り付けられ、一面に複数のすり鉢状孔が形成される多孔部材とからなり、前記各すり鉢状孔がテーパー状の内周壁と、上部に形成される大開口と、底部に形成される小開口とを有する集塵マットであって、前記多孔部材の周縁と、それと対応する集塵部材の周縁には一部を除いた部分が結合される結合部が設けられると共に、該結合部以外の、多孔部材の前記一部と、それと対応する集塵部材の前記一部との間に開口部が設けられることを特徴とする。【選択図】  図１
0003138008.tif 000002
【実用新案登録請求の範囲】
【請求項１】
上面に複数の凹部が形成される集塵部材と、
前記集塵部材の上面に取り付けられ、一面に複数のすり鉢状孔が形成される多孔部材とからなり、
前記各すり鉢状孔がテーパー状の内周壁と、上部に形成される大開口と、底部に形成される小開口とを有する集塵マットであって、
前記多孔部材の周縁と、それと対応する集塵部材の周縁には一部を除いた部分が結合される結合部が設けられると共に、該結合部以外の、多孔部材の前記一部と、それと対応する集塵部材の前記一部との間に開口部が設けられることを特徴とする集塵マット。
【請求項２】
前記多孔部材と前記集塵部材とは矩形に形成されると共に、前記多孔部材と前記集塵部材とのそれぞれの結合部がそれぞれ３つの縁に設けられていて、当該結合部は縫合によって結合されている結合部であることを特徴とする請求項１に記載の集塵マット。
【請求項３】
前記集塵部材の底面に少なくとも１つのずれ防止部材が更に設けられていることを特徴とする請求項１又は２に記載の集塵マット。
【請求項４】
前記ずれ防止部材は所定の間隔で複数凸設される突起部材であることを特徴とする請求項３に記載の集塵マット。
【請求項５】
前記ずれ防止部材は面ファスナーであることを特徴とする請求項３に記載の集塵マット。
【請求項６】
前記多孔部材の上面に強度を高めるための補強部材が更に設けられていることを特徴とする請求項１乃至請求項５の何れか一項に記載の集塵マット。
【考案の詳細な説明】
【技術分野】
【０００１】
本考案は特に、集めた塵埃を簡単に捨てることができる集塵マットに関するものである。
【背景技術】
【０００２】
図８乃至図１０に示すように、従来の、玄関に置く靴拭いマットや、車内において床マットとして使用される集塵マットは、底面に複数のずれ防止部材（９２）が設けられると共に、上面に複数の凹部（符号なし）が形成され、周縁に面ファスナー（９３）が設けられる集塵部材（９０）と、
上面に複数のすり鉢状孔（８１）が穿設されると共に、周縁に前記集塵部材（９０）の面ファスナー（９３）と着脱可能な面ファスナー（８３）が設けられる多孔部材（８０）とからなるので、靴などから前記すり鉢状孔（８１）から集塵部材（９０）の凹部に落ちた塵埃を、簡単にマットから除去することができる。
【考案の開示】
【考案が解決しようとする課題】
【０００３】
しかしながら、前記従来の集塵マットは、集塵部材（９０）に溜まった塵埃などを、例えばゴミ箱へ捨てる時、前記多孔部材（８０）の一部を、前記集塵部材（９０）から剥がし取り、その剥がし取った部分の隙間から塵埃などの溜まったゴミを捨てるが、前記剥がし取った部分の面ファスナー（８３）（９３）同士が少しでも接触すると、すぐに貼りついてしまうので非常に扱い難かった。
【０００４】
又、前記多孔部材（８０）全体を集塵部材（９０）から完全に剥がし取ってから、収集した塵埃などのゴミを捨てる場合には、多孔部材（８０）を集塵部材（２０）から剥がし取る時に、塵埃などのゴミも一緒に飛散してしまうので、使用上、極めて不便であった。
【０００５】
そこで、案出されたのが本考案であって、塵埃などのゴミを飛散させずに、捨てることができる使用上、極めて扱い易い集塵マットを提供することを目的としている。
【課題を解決するための手段】
【０００６】
本願の請求項１の考案は、上面に複数の凹部が形成される集塵部材と、
前記集塵部材の上面に取り付けられ、一面に複数のすり鉢状孔が形成される多孔部材とからなり、
前記各すり鉢状孔がテーパー状の内周壁と、上部に形成される大開口と、底部に形成される小開口とを有する集塵マットであって、
前記多孔部材の周縁と、それと対応する集塵部材の周縁には一部を除いた部分が結合される結合部が設けられると共に、該結合部以外の、多孔部材の前記一部と、それと対応する集塵部材の前記一部との間に開口部が設けられることを特徴とする集塵マット、を提供する。
【０００７】
本願の請求項２の考案は、前記多孔部材と前記集塵部材とは矩形に形成されると共に、前記多孔部材と前記集塵部材とのそれぞれの結合部がそれぞれ3つの縁に設けられていて、当該結合部は縫合によって結合されている結合部であることを特徴とする請求項１に記載の集塵マット、を提供する。
【０００８】
本願の請求項３の考案は、前記集塵部材の底面に少なくとも１つのずれ防止部材が更に設けられていることを特徴とする請求項１又は２に記載の集塵マット、を提供する。
【０００９】
本願の請求項４の考案は、前記ずれ防止部材は所定の間隔で複数凸設される突起部材であることを特徴とする請求項３に記載の集塵マット、を提供する。
【００１０】
本願の請求項５の考案は、前記ずれ防止部材は面ファスナーであることを特徴とする請求項２に記載の集塵マット、を提供する。
【００１１】
本願の請求項６の考案は、前記多孔部材の上面に強度を高めるための補強部材が更に設けられていることを特徴とする請求項１乃至請求項５の何れか一項に記載の集塵マット、を提供する。
【考案の効果】
【００１２】
本考案は上記の課題を解決するものであり、前記多孔部材のすり鉢状孔から集塵部材の凹部に溜まった塵埃などのゴミを捨てる時には、単に集塵マットを持ち上げ、集塵部材と多孔部材とが縫合されていない開口部を下に向けて集塵マットを少し手で揺らせば、簡単に集塵部材の凹部に溜まった塵埃などのゴミを開口部から捨てることができる。このように、本考案では、多孔部材を集塵部材から剥がし取る作業がないことから、集塵部材の凹部に溜まった塵埃などのゴミを飛散させずに、極めて容易に廃棄作業を行うことができるので、実用性を大幅に高めることができる。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係る集塵マットの斜視図であり、図２は本考案に係る集塵マットの分解斜視図であり、図３は本考案に係る集塵マットの平面図であり、図４は本考案に係る集塵マットの底面視の斜視図であり、図５は本考案に係る集塵マットの開口部を示す部分拡大斜視図であり、図６は本考案に係る集塵マットの多孔部材に補強部材が設けられる実施形態を示す平面図であり、図７は本考案に係る集塵マットの集塵部材の底面にずれ防止部材である面ファスナーが設けられる実施形態を示す斜視図である。
【００１５】
図１乃至図３に示すように、本考案の集塵マットは、上面に複数の凹部（符号なし）が形成される集塵部材（２０）と、
前記集塵部材（２０）の上面に取り付けられ、一面に複数のすり鉢状孔（１１）が形成される多孔部材（１０）とからなり、該多孔部材（１０）の周縁と、それと対応する集塵部材（２０）の周縁には、一部を除いた部分が結合される結合部（３１）が設けられると共に、該結合部（３１）以外の多孔部材（１０）の該一部と、それと対応する集塵部材（２０）の該一部との間に開口部（３２）が設けられる。又、前記各すり鉢状孔（１１）は、テーパー状の内周壁と、上部に形成される大開口（符号なし）と、底部に形成される小開口（符号なし）とを有する。
【００１６】
また、本考案の集塵マットは、使用時において、開口部（３２）における、集塵部材（２０）の縁の上部と多孔部材（１０）の縁の下部とが互いに接触することから、該開口部（３２）は閉じているので、集塵部材（２０）に溜まったゴミは、開口部（３２）から出ることはない。
そして、所定量のゴミが溜まったら、前記集塵マットを、ゴミ箱の上に持って行き、開口部（３２）を下に向けながら集塵マットを軽く揺すれば、集塵部材（２０）の凹部に溜まった塵埃などのゴミを飛散させずに、開口部（３２）からゴミ箱へ捨てることができる。
【００１７】
更に、前記集塵部材（２０）とその上面に取り付けられる多孔部材（１０）は共に、矩形の可撓性材料からなり、該可撓性材料は、例えばプラスチックなどの熱可塑性材料であることが好ましい。
前記結合部（３１）は、集塵部材（２０）の周縁における３つの辺と、それと対応する多孔部材（１０）の周縁における３つの辺とが縫合されてなるものであり、
前記開口部（３２）は、結合部（３１）以外の、多孔部材（１０）の１つの縁と、それと対応する集塵部材（２０）の１つの縁との間に設けられる。
尚、前記結合部（３１）は、集塵部材（２０）の周縁と、多孔部材（１０）の周縁とが縫合されてなることが好ましいが、例えば多孔部材（１０）と集塵部材（２０）とが熱可塑性材料より製造される実施形態においては、結合部（３１）が、集塵部材（２０）の周縁と、多孔部材（１０）の周縁とが熱融着されても構わない。
【００１８】
このような多孔部材（１０）と集塵部材（２０）とが熱可塑性材料より製造される実施形態において、集塵部材（２０）の凹部に溜まったゴミを捨てる場合は、単に可撓性材料からなる集塵部材（２０）と多孔部材（１０）とを変形させるように、前記結合部（３１）における開口部（３２）の２つの縁を両手で広げて、開口部（３２）を開かせれば、簡単に効率よくゴミを捨てることができる。
尚、前記集塵部材（２０）と多孔部材（１０）は、角丸長方形であることが好ましい。
【００１９】
図４及び図５に示すように、本考案の集塵マットは、集塵部材の底面に複数のずれ防止部材が設けられるが、図４及び図５に示すように、本実施例においては、ずれ防止部材（２１）として、所定の間隔で複数凸設される突起部材が採用されている。尚、該ずれ防止部材は、図７に示すように、面ファスナーのような互いに接合できるものであれば、如何なるものでもよい。
【００２０】
また、本実施例に示すように、前記多孔部材（１０）のすり鉢状孔（１１）は、六角錐状に形成されるが、その他の形状、例えば円錐状であってもよい。
【００２１】
更に、前記多孔部材（１０）の強度を高めるために、その上面又は底面に補強部材（４０）を設けてもよく、図６に示すように、本実施例においては、前記多孔部材（１０）の上面に強度を高めるための補強部材（４０）が設けられる。前記補強部材（４０）は鉄板又は硬質プラスチックからなるものであってもよい。
【産業上の利用可能性】
【００２２】
本考案は上記の構成を有するので、集塵部材に溜まったゴミを飛散させることなく、簡単に捨てることができるので、集塵マットの実用性、使用上の利便性を大幅に向上させることができる。
【図面の簡単な説明】
【００２３】
【図１】本考案に係る集塵マットの斜視図である。
【図２】本考案に係る集塵マットの分解斜視図である。
【図３】本考案に係る集塵マットの平面図である。
【図４】本考案に係る集塵マットの底面視の斜視図である。
【図５】本考案に係る集塵マットの開口部を示す部分拡大斜視図である。
【図６】本考案に係る集塵マットの多孔部材に補強部材が設けられる実施形態を示す平面図である。
【図７】本考案に係る集塵マットの集塵部材の底面にずれ防止部材である面ファスナーが設けられる実施形態を示す斜視図である。
【図８】従来の集塵マットの分解斜視図である。
【図９】従来の集塵マットの側面断面図である。
【図１０】従来の集塵マットの使用状態を示す側面断面図である。
【符号の説明】
【００２４】
１０ 多孔部材
１１ すり鉢状孔
２０ 集塵部材
２１ ずれ防止部材
３１ 結合部
３２ 開口部
４０ 補強部材
８０ 多孔部材
８１ すり鉢状孔
８３ 面ファスナー
９０ 集塵部材
９２ ずれ防止部材
９３ 面ファスナー
【図１】
0003138008.tif 000003
【図２】
0003138008.tif 000004
【図３】
0003138008.tif 000005
【図４】
0003138008.tif 000006
【図５】
0003138008.tif 000007
【図６】
0003138008.tif 000008
【図７】
0003138008.tif 000009
【図８】
0003138008.tif 000010
【図９】
0003138008.tif 000011
【図１０】
0003138008.tif 000012